(57)【要約】【課題】各商品選択ボタンに対応した位置に設けられている電気式の価格表示器を利用して、オペレート性の向上を図る。【解決手段】複数の商品選択ボタン４のそれぞれに対応して設けられ商品選択ボタン４に対応する商品の販売価格を表示する電気式の価格表示器５と、複数の商品をそれぞれに収納するコラムと、コラム毎にどの商品選択ボタン４に設定するかを設定するコラム−選択ボタン設定手段２１と、コラム−選択ボタン設定手段２１による設定を記憶するコラム−選択ボタン記憶手段２２と、コラム−選択ボタン設定手段２１によりコラム１１と商品選択ボタン４の設定に移行し、所定のコラム１１に対する商品選択ボタン４の設定を行う際に押された商品選択ボタン４をコラム−選択ボタン記憶手段２２に記憶させ、価格表示器５にコラム番号を表示させる演算制御部３０ａとを備えた。【選択図】図３
2014149575.tif 000002
【特許請求の範囲】
【請求項１】
複数の商品選択ボタンのそれぞれに対応して設けられ前記商品選択ボタンに対応する商品の販売価格を表示する電気式の価格表示器と、複数の商品をそれぞれに収納するコラムとを備え、前記商品選択ボタンでどの前記コラムを販売させるかを設定する場合に、前記価格表示器に設定した前記コラムの番号を表示することを特徴とする自動販売機。
【請求項２】
テスト販売時に前記価格表示器に前記商品選択ボタンに設定されている前記コラムの番号を表示することを特徴とする請求項１記載の自動販売機。
【請求項３】
前記コラムの商品が販売可能かを判定する商品販売可能判定手段を備え、前記商品販売可能判定手段により販売不可能と判定された場合には前記コラムに対応する前記価格表示器の価格表示を消灯することを特徴とする請求項１または２記載の自動販売機。
【請求項４】
前記商品選択ボタンに接続されている前記コラムの情報を設定及び確認時に前記価格表示器に前記コラム情報を表示することを特徴とする請求項１から３のいずれか一項に記載の自動販売機。
【発明の詳細な説明】
【技術分野】
【０００１】
本発明は、各商品選択ボタンに対応した位置に商品の販売価格を表示する価格表示器を備えた自動販売機に関するものである。
【背景技術】
【０００２】
従来、自動販売機においては、販売する商品に応じて販売価格が異なっているため、商品選択ボタンに対応した位置に、それぞれの商品の販売価格を表示する販売価格表示カードを備えている（例えば、特許文献１参照）。
【０００３】
近年、自動販売機では、商品の販売価格が変更になった場合に販売価格表示カードを新しい販売価格表示カードに取り換える必要があるため、商品の数が多い場合には交換作業が面倒であり、また、消費税率変更、電子マネーの利用促進や、特定期間または特定商品の販売促進のための値引き販売に柔軟に対応できるように、近年では、価格表示カードに代えて、それぞれ個別に点灯・消灯（または表示・非表示）できる７つのセグメントを用いてアラビア数字一文字を表現するデジタル式（ＬＥＤ等の発光素子または液晶ディスプレイを用いた電気式）の価格表示器が用いられるようになってきている（特許文献２）。
【先行技術文献】
【特許文献】
【０００４】
【特許文献１】実開平３−７０６８４号公報
【特許文献２】特開２００３−３１７１３４号公報
【発明の概要】
【発明が解決しようとする課題】
【０００５】
ところで、上記従来の方式では、販売価格を表示している機能にとどまり、商品選択ボタンに対応した位置に設けられている価格表示器を有効利用されていない。
【０００６】
すなわち、自動販売機には複数の商品を販売することができ、それら商品を収納するための複数のコラムがあり、それらコラムに対して複数の商品選択ボタンがコラムとは異なる形で設けられているため、商品入れ替え等のオペレート時には再度コラムに対する商品選択ボタンの設定を行う必要がある。
【０００７】
また、自動販売機には商品を単に販売するだけでなく、商品の残数管理を行う機能や、商品の賞味期限管理を行う機能など非常に多くの設定および確認機能を有しており、それら操作時において価格表示器を有効利用されていないのが現状であった。
【０００８】
また、近年、自動販売機は商品のイメージをよくするために、明るさやきれいさを求めて、ディスプレイにおける照明に多大な電力を消費している。また、自動販売機自体も年々大型化・多セレクション化が進み、自動販売機にて使用する電力が増大する。しかしながら、一方で、環境問題等により省エネルギー化が叫ばれており、使用電力を抑えた省エネルギー自動販売機が求められている。当然ながらデジタル式（電気式）の価格表示器を用いた場合には消費電力が増加するため、より消費電力を低減する必要がある。
【０００９】
そこで、本発明は、各商品選択ボタンに対応した位置に設けられている電気式の価格表示器を利用して、オペレート性の向上を図ることを第１の目的としている。
【００１０】
また、本発明は、第１の目的に加えて、消費電力を低減することを第２の目的としてい
る。
【課題を解決するための手段】
【００１１】
上記第１の目的を達成するために、本発明の自動販売機は、複数の商品選択ボタンのそれぞれに対応して設けられ前記商品選択ボタンに対応する商品の販売価格を表示する電気式の価格表示器と、複数の商品をそれぞれに収納するコラムとを備え、前記商品選択ボタンでどの前記コラムを販売させるかを設定する場合に、前記価格表示器に設定した前記コラムの番号を表示するのである。
【００１２】
これにより、オペレート性の向上を図ることができる。
【００１３】
また、上記第２の目的を達成するために、本発明の自動販売機は、前記コラムの商品が販売可能かを判定する商品販売可能判定手段を備え、前記商品販売可能判定手段により販売不可能と判定された場合には前記コラムに対応する前記価格表示器の価格表示を消灯するのである。
【００１４】
これにより、消費電力を低減することができる。
【発明の効果】
【００１５】
本発明の自動販売機は、商品選択ボタンでどのコラムを販売させるかを設定する場合に、複数の商品選択ボタンのそれぞれに対応して設けられた価格表示器に、設定したコラムの番号を表示することにより、サンプル缶、商品選択ボタン、価格表示器を一括して確認することができ、オペレート性を向上させることができる。
【００１６】
また、販売不可能と判定されたコラムに対応する価格表示器の価格表示を消灯することにより、省エネを図りつつ、利用者に購入できないことをより知らしめることができる。
【図面の簡単な説明】
【００１７】
【図１】本発明の実施の形態１の自動販売機の正面図
【図２】本発明の実施の形態１の自動販売機の扉を開いた状態の外観斜視図
【図３】本発明の実施の形態１の自動販売機の機能ブロック図
【図４】本発明の実施の形態１の自動販売機の動作を示すフローチャート
【図５】本発明の実施の形態２の自動販売機の機能ブロック図
【図６】本発明の実施の形態２の自動販売機の動作を示すフローチャート
【図７】本発明の実施の形態３の自動販売機の機能ブロック図
【図８】本発明の実施の形態３の自動販売機の動作を示すフローチャート
【図９】本発明の実施の形態４の自動販売機の機能ブロック図
【図１０】本発明の実施の形態４の自動販売機の動作を示すフローチャート
【図１１】本発明の実施の形態４の自動販売機の動作を示すフローチャート
【発明を実施するための形態】
【００１８】
第１の発明は、複数の商品選択ボタンのそれぞれに対応して設けられ前記商品選択ボタンに対応する商品の販売価格を表示する電気式の価格表示器と、複数の商品をそれぞれに収納するコラムとを備え、前記商品選択ボタンでどの前記コラムを販売させるかを設定する場合に、前記価格表示器に設定した前記コラムの番号を表示するものであり、商品選択ボタンでどのコラムを販売させるかを設定する場合に、複数の商品選択ボタンのそれぞれに対応して設けられた価格表示器に、設定したコラムの番号を表示することにより、サンプル缶、商品選択ボタン、価格表示器を一括して確認することができ、オペレート性を向上させることができる。
【００１９】
第２の発明は、第１の発明において、テスト販売時に前記価格表示器に前記商品選択ボタンに設定されている前記コラムの番号を表示するものであり、サンプル缶、商品選択ボタン、価格表示器を認識しつつ、テスト販売を行うことができ、オペレート性を向上させることができる。
【００２０】
第３の発明は、第１または第２の発明において、前記コラムの商品が販売可能かを判定する商品販売可能判定手段を備え、前記商品販売可能判定手段により販売不可能と判定された場合には前記コラムに対応する前記価格表示器の価格表示を消灯するものであり、販売不可能と判定されたコラムに対応する価格表示器の価格表示を消灯することにより、省エネを図りつつ、利用者に購入できないことをより知らしめることができる。
【００２１】
第４の発明は、第１から第３のいずれかの発明において、前記商品選択ボタンに接続されている前記コラムの情報を設定及び確認時に前記価格表示器に前記コラム情報を表示するものであり、価格表示器を見るだけで全コラムに対する情報を確認することができ、オペレート性を向上させることができる。
【００２２】
以下、本発明の実施の形態について、図面を参照しながら説明する。なお、この実施の形態によってこの発明が限定されるものではない。
【００２３】
（実施の形態１）
図１は本発明の実施の形態１の自動販売機の正面図、図２は同実施の形態の自動販売機の扉を開いた状態の外観斜視図、図３は同実施の形態の自動販売機の機能ブロック図、図４は同実施の形態の自動販売機の動作を示すフローチャートである。
【００２４】
図１に示すように、本実施の形態の自動販売機１は、その本体キャビネット前面に左端のヒンジを回動軸にして開閉可能に設けられたメイン扉２を有している。メイン扉２には、前面上部に配置された展示室内に上下３段に左右方向に複数並べられたサンプル缶３、サンプル缶３の下方にサンプル缶３毎に配置された商品選択ボタン４、サンプル缶３毎に商品選択ボタン４に近接して配置されたデジタル式（電気式）の価格表示器５、前面の比較的右側に配置された硬貨投入口６、硬貨投入口６に近接して配置された釣銭返却レバー７、硬貨投入口６の下方に配置された釣銭返却口８、硬貨投入口６に近接して配置されたデジタル式（電気式）の金額表示器９、展示室の下方に配置された商品取出口１０を設けている。
【００２５】
商品選択ボタン４は、商品選択ボタン４に近接するサンプル缶３に対応する商品が販売可能であることを示す、あるいは売切れや準備中といった状態を示す内蔵ランプを点灯、消灯させることで、利用者に、その商品の状態を知らせており、サンプル缶３に対応する商品を選択する時に押す操作を行う商品選択ボタンとして、サンプル缶３に近接して、一般にはサンプル缶３の下方に配置されている。
【００２６】
価格表示器５は、それぞれ個別に点灯・消灯（または表示・非表示）できる７つのセグメントを用いてアラビア数字一文字を表現するデジタル式（ＬＥＤ等の発光素子または液晶ディスプレイを用いた電気式）の表示器であり、そのサンプル缶３に対応する商品の販売価格の表示を行っており、サンプル缶３に近接して、一般にはサンプル缶３の下方に配置されている。
【００２７】
金額表示器９は、それぞれ個別に点灯・消灯（または表示・非表示）できる７つのセグメントを用いてアラビア数字一文字を表現するデジタル式（ＬＥＤ等の発光素子または液晶ディスプレイを用いた電気式）の表示器であり、利用者が投入した合計金額または販売待機中にＳＥＬＬ等の文字の表示やイルミネーションの表示を行う。
【００２８】
図２に示すように、本実施の形態の自動販売機１は、前面を開口した箱状の本体部内に形成された商品収納室に配置され商品を収納するコラム１１、コラム１１の下方に配置されてコラム１１内の商品を一つずつ下方に搬出させるための搬出手段１２、個別に温度調節できるように商品収納室を左右に仕切る断熱性の庫内仕切板１３、メイン扉２と本体部内の間に左端のヒンジを回動軸にして開閉可能に設けられた断熱性のサブ扉１４、傾斜を利用して搬出手段１２から搬出された商品を前方に誘導するシュート１５を備えている。
【００２９】
また、コラム１１は、オペレーターが商品の補充を行う際に投入される複数の商品を収納するものであり、コラム１１毎に搬出手段１２が設けられている。搬出手段１２はソレノイドなどで駆動する。
【００３０】
また、庫内仕切版１３で商品収納室が左右に分けられており、各商品収納室内にシュート１５とコラム１１を有している。シュート１５は搬出手段１２により払い出された商品をメイン扉２に設けられた取り出し部１０に滑り落とすものである。また、サブ扉１４は各シュート１５の下端部と対向する位置に商品通過口１６を有しており、商品通過口１６にはシュート１５を滑り落ちた（または転がり落ちた）商品に押されて開く扉が設けられている。
【００３１】
また、本体部と庫内仕切板１３及びサブ扉１４により囲まれた各商品収納室毎に設定された冷却及び加温状態を保持している。
【００３２】
また、販売動作は、まず、利用者が、購入を希望する商品があるか否かをサンプル缶３で確認し、価格表示器５でその購入希望商品の販売価格を確認した上で、購入希望商品を価格表示器５に表示された販売価格で購入することを決定し、硬貨投入口６に硬貨を投入する。
【００３３】
すると、硬貨投入口６に投入した硬貨の合計金額で購入可能な商品に対応する商品選択ボタン４の販売可能を示すランプが点灯する。
【００３４】
次に、サンプル缶３に対応してサンプル缶３の下方に設けられた商品選択ボタン４を押す操作で購入する商品を選択すると、商品選択ボタン４に対応したコラム１１の搬出手段１２が動作して商品を一つ下方に払い出す。
【００３５】
搬出手段１２から払い出された商品は、シュート１５を滑り落ち（転がり落ち）、サブ扉１４の商品通過口１６を通過して、メイン扉２の取り出し部１０に払い出されるので、利用者は、取り出し部１０に払い出された商品を取り出すことができる。
【００３６】
尚、サンプル缶３に対応する商品が売切れの場合は、売切れの商品に対応するサンプル缶３に近接した商品選択ボタン４に設けられた売切れランプが点灯し、サンプル缶３に対応する商品が消費期限や適温でない等の理由により販売できない場合は、それらの理由で販売できない商品に対応するサンプル缶３に近接した商品選択ボタン４に設けられた準備中ランプが点灯するので、利用者は、売切れの商品や準備中の商品を知ることができる。
【００３７】
また、自動販売機１は、冷却、加温することで適した温度の商品を販売する機能だけでなく、コラム１１に補充された商品の消費期限、投入本数、売上などをコラム毎に確認・設定する機能が多くあり、メイン扉２の内側に設けられたリモコン（図示せず）にて所定の操作を行うことで確認、設定が行われている。
【００３８】
図３において、コラム−選択ボタン設定手段２１は、コラム１１毎にどの商品選択ボタ
ン４に設定するかを設定する。コラム−選択ボタン記憶手段２２は、コラム−選択ボタン設定手段２１による設定を記憶する。
【００３９】
一般的に、リモコンでその機能に移行させ、表示されたコラム１１に対するコラム番号表示を切り替えながら、商品選択ボタン４を選択し、コラム１１と商品選択ボタン４の割り当てを設定するものである。
【００４０】
演算制御部３０ａは、コラム−選択ボタン設定手段２１によりコラム１１と商品選択ボタン４の設定に移行し、所定のコラム１１に対する商品選択ボタン４の設定を行う際に押された商品選択ボタン４をコラム−選択ボタン記憶手段２２に記憶させ、価格表示器５にコラム番号を表示させる。
【００４１】
以上のように構成された本実施の形態の自動販売機１について、以下その動作を、図４に示すフローチャートを参照しながら説明する。
【００４２】
まず、演算制御部３０ａは、コラム−選択ボタン設定手段２１により、コラム１１のＮ番目の設定に移行させる（ＳＴＥＰ０）。次に、設定終了かを判定し（ＳＴＥＰ１）、設定終了であれば、通常待機状態と同じく価格表示器５に価格を表示させ、設定を終了させる。また、設定終了かの判定で、設定終了でなければ、商品選択ボタン４に既に接続されているコラム番号を価格表示器５に表示させる（ＳＴＥＰ２）。
【００４３】
次に、商品選択ボタン４が押されたかを判定し（ＳＴＥＰ３）、押されていなければ、ＳＴＥＰ０に戻る。また、商品選択ボタン４が押されたかの判定で、商品選択ボタン４が押された場合には、押された商品選択ボタン４のＭ番が既に設定されたものかを判定し（ＳＴＥＰ４）、既に設定されたものである場合には、コラム１１のＮ番に対する商品選択ボタンのＭ番の接続解除を、コラム−選択ボタン記憶手段２２に記憶させる。
【００４４】
押された商品選択ボタン４のＭ番が既に設定されたものかの判定で、未だ設定されていないものである場合には、コラム１１のＮ番に対する選択された商品選択ボタン４のＭ番が接続されているものとしてコラム−選択ボタン記憶手段２２に記憶させ（ＳＴＥＰ４）、ＳＴＥＰ０に戻る。
【００４５】
以上のように本実施の形態の自動販売機１は、複数の商品選択ボタン４のそれぞれに対応して設けられ商品選択ボタン４に対応する商品の販売価格を表示する電気式の価格表示器５と、複数の商品をそれぞれに収納するコラム１１と、コラム１１毎にどの商品選択ボタン４に設定するかを設定するコラム−選択ボタン設定手段２１と、コラム−選択ボタン設定手段２１による設定を記憶するコラム−選択ボタン記憶手段２２と、コラム−選択ボタン設定手段２１によりコラム１１と商品選択ボタン４の設定に移行し、所定のコラム１１に対する商品選択ボタン４の設定を行う際に押された商品選択ボタン４をコラム−選択ボタン記憶手段２２に記憶させ、価格表示器５にコラム番号を表示させる演算制御部３０ａとを備え、商品入替え等によりサンプル缶３と合わせて、コラム１１と商品選択ボタン４の入れ替えを行う時に、価格表示器５にコラム番号を表示させることにより、メイン扉２に設けられた価格表示器５の表示とサンプル缶３、商品選択ボタン４のイメージと合わせて確認することができ、既に設定された内容を一括して確認することができるので、リモコンでの操作でコラム番号を切り替えながら接続された商品選択ボタン４の点灯を確認しながら確認する手間を省略することができ、オペレート性を向上させることができる。
【００４６】
（実施の形態２）
図５は本発明の実施の形態２の自動販売機の機能ブロック図、図６は同実施の形態の自動販売機の動作を示すフローチャートである。なお、実施の形態１の自動販売機と同一構
成については同一符号を付して、その詳細な説明は省略する。
【００４７】
なお、本実施の形態の自動販売機の正面図は図１に示す実施の形態１の自動販売機と同様であり、本実施の形態の自動販売機の扉を開いた状態の外観斜視図は、図２に示す実施の形態１の自動販売機と同様である。
【００４８】
図５において、テスト販売設定手段２３は、テスト販売機能に移行させるためのものである。ここで、テスト販売とは一般の利用者（購入者）が通常購入する場合でなく、オペレーターがテストとして商品の払い出しを行う機能であり、一般的にリモコンで所定の操作を行うことで、その機能に移行させるものである。
【００４９】
演算制御部３０ｂは、テスト販売設定手段２３により、テスト販売モードに移行させ、その際に価格表示器５にコラム番号を表示させる。
【００５０】
以上のように構成された本実施の形態の自動販売機１について、以下その動作を、図６に示すフローチャートを参照しながら説明する。
【００５１】
まず、演算制御部３０ｂは、テスト販売設定手段２３により、テスト販売機能に移行させる（ＳＴＥＰ０）。次に、テスト販売中かを判定し（ＳＴＥＰ１）、テスト販売終了の場合には、価格表示器５に価格を表示させる。また、テスト販売中かの判定で、テスト販売中であれば、商品選択ボタン４に割り当てられたコラム番号を価格表示器５に表示させる（ＳＴＥＰ２）。
【００５２】
以上のように本実施の形態の自動販売機１は、実施の形態１の自動販売機１の構成に加えて、テスト販売設定手段２３を備え、実施の形態１における演算制御部３０ａの代わりに、テスト販売設定手段２３により、テスト販売モードに移行させ、その際に価格表示器５にコラム番号を表示させる演算制御部３０ｂを設ており、テスト販売を行う際に価格表示器５にコラム番号を表示させることにより、リモコンや金額表示器９の表示を見なくても選択した商品選択ボタン４と同様に並べられた価格表示器の表示を確認するだけでコラム番号を確認することができるので、オペレート性を向上させることができる。
【００５３】
（実施の形態３）
図７は本発明の実施の形態３の自動販売機の機能ブロック図、図８は同実施の形態の自動販売機の動作を示すフローチャートである。なお、実施の形態１の自動販売機と同一構成については同一符号を付して、その詳細な説明は省略する。
【００５４】
なお、本実施の形態の自動販売機の正面図は図１に示す実施の形態１の自動販売機と同様であり、本実施の形態の自動販売機の扉を開いた状態の外観斜視図は、図２に示す実施の形態１の自動販売機と同様である。
【００５５】
図７において、商品販売可能判定手段２４は、コラム１１が販売可能かを判定する。演算制御部３０ｃは、商品販売可能判定手段２４により販売不可能と判定されたコラム１１に対応する価格表示器５に価格表示を消灯させる。
【００５６】
以上のように構成された本実施の形態の自動販売機１について、以下その動作を、図８に示すフローチャートを参照しながら説明する。
【００５７】
まず、演算制御部３０ｃは、商品販売可能判定手段２４によりコラム１１のＮ番が販売不可かを判定し（ＳＴＥＰ０）、販売可能である場合には価格表示器５にコラム１１のＮ番の価格表示を行い、販売不可である場合には価格表示器５のコラムＮの価格表示を消灯
させる（ＳＴＥＰ１）。
【００５８】
以上のように本実施の形態の自動販売機１は、実施の形態１の自動販売機１の構成に加えて、商品販売可能判定手段２４を備え、実施の形態１における演算制御部３０ａの代わりに、商品販売可能判定手段２４により販売不可能と判定されたコラム１１に対応する価格表示器５に価格表示を消灯させる演算制御部３０ｃを設けており、商品販売可能判定手段２４により販売不可能と判定された場合にはコラム１１に対応する価格表示器５の価格表示を消灯することにより、無駄な価格表示を消灯させることで省エネを図りつつ、利用者に購入できないことをより知らしめることができる。
【００５９】
（実施の形態４）
図９は本発明の実施の形態４の自動販売機の機能ブロック図、図１０と図１１は同実施の形態の自動販売機の動作を示すフローチャートである。なお、実施の形態１の自動販売機と同一構成については同一符号を付して、その詳細な説明は省略する。
【００６０】
なお、本実施の形態の自動販売機の正面図は図１に示す実施の形態１の自動販売機と同様であり、本実施の形態の自動販売機の扉を開いた状態の外観斜視図は、図２に示す実施の形態１の自動販売機と同様である。
【００６１】
本実施の形態においては、コラム情報設定及び確認手段の一例として補給数管理機能を用いて説明を行う。ここで、補給数管理機能とは、コラム１１毎に満杯にした際の満杯数を設定し、購入があった場合には、そのコラム１１から設定された満杯数から販売された本数を減算して残数としてコラム１１毎に確認を行うことができる機能である。
【００６２】
図９において、コラム別満杯数設定手段２５は、コラム１１を満杯にした際の満杯数をコラム１１毎に設定を行う。コラム別満杯数記憶手段２６は、コラム別満杯数設定手段２５により設定された満杯数を記憶する。コラム別残数確認手段２７は、コラム１１毎に残っている商品の残数を確認する機能である。
【００６３】
演算制御部３０ｄは、コラム別満杯数設定手段２５によりコラム１１を満杯にした際の満杯数をコラム１１毎に設定を行う際、設定された満杯数をコラム別満杯数記憶手段２６に記憶させ、価格表示器５に表示させる。またコラム別残数確認手段２７によりコラム１１毎に残数の確認を行う際、残数を価格表示器５に表示させる。
【００６４】
以上のように構成された本実施の形態の自動販売機１について、以下その動作を、図１０、図１１に示すフローチャートを参照しながら説明する。
【００６５】
図１０において、まず、演算制御部３０ｄは、コラム別満杯数設定手段２５によりコラム１１のＮ番を満杯数の設定に移行させ（ＳＴＥＰ０）、次に設定終了かを判定し（ＳＴＥＰ１）、設定終了であれば価格表示器５に価格を表示させる。また、設定終了かの判定で、設定終了でなければ、満杯数が設定されたコラム１１に対応する価格表示器５に満杯数を表示させる（ＳＴＥＰ２）。
【００６６】
次に、リモコン等の操作により設定操作されたかを判定し（ＳＴＥＰ３）、設定操作されていなければ、ＳＴＥＰ０に戻り、設定操作されていれば設定された満杯数をコラム別満杯数記憶手段２６に記憶させ（ＳＴＥＰ４）、ＳＴＥＰ０に戻る。
【００６７】
図１１において、まず、演算制御部３０ｄは、コラム別残数確認手段２７によりコラム１１のＮ番を残数の設定に移行させ（ＳＴＥＰ５）、確認終了かを判定し（ＳＴＥＰ６）、確認終了である場合には価格表示器５に価格表示を行い、確認終了でない場合にはコラ
ム１１毎に商品の残数を表示させる（ＳＴＥＰ７）。
【００６８】
以上のように本実施の形態の自動販売機１は、実施の形態１の自動販売機１の構成に加えて、コラム１１を満杯にした際の満杯数をコラム１１毎に設定を行うためのコラム別満杯数設定手段２５と、コラム別満杯数設定手段２５により設定された満杯数を記憶するコラム別満杯数記憶手段２６と、コラム１１毎に残っている商品の残数を確認するためのコラム別残数確認手段２７とを備え、実施の形態１における演算制御部３０ａの代わりに、コラム別満杯数設定手段２５によりコラム１１を満杯にした際の満杯数をコラム１１毎に設定を行う際に設定された満杯数をコラム別満杯数記憶手段２６に記憶させ、価格表示器５に表示させる機能と。コラム別残数確認手段２７によりコラム１１毎に残数の確認を行う際に残数を価格表示器５に表示させる機能とを有する演算制御部３０ｄを設けており、コラム別満杯数設定手段２５にて満杯数を設定する際には価格表示器５に満杯数を表示させ、コラム別残数確認手段２７にてはコラム１１毎に残っている商品の残数を確認する際には価格表示器５に満杯数を表示させることにより、メイン扉２に設けられた価格表示器５の表示とサンプル缶３、商品選択ボタン４のイメージと合わせて確認することができ、既に設定された内容を一括して確認することができるので、リモコンでの操作でコラム番号表示を切り替えながら接続された商品選択ボタン４の点灯を確認する手間が省け、オペレート性を向上させることができる。
【００６９】
今回の一例として補給数管理機能で説明をおこなったが、自動販売機１には補給数機能をはじめとして売上数管理や賞味期限管理など多くの機能を有しており、補給数管理機能同様にコラム毎に管理されており、同様に価格表示器へそれらの情報を表示させることができる。
【００７０】
また、価格表示器５への表示についてはコラム番号とコラム情報を表示させて、確認における容易性を向上させることができる。価格表示器５の表示桁数が制限される場合にはコラム番号、コラム情報等を交互に表示させてもよい。
【産業上の利用可能性】
【００７１】
以上のように、本発明にかかる自動販売機は、各商品選択ボタンに対応した位置に設けられている電気式の価格表示器を利用して、オペレート性を向上できるので、電気式の価格表示器を各商品選択ボタンに対応させて設けた自動販売機に適用できる。
【符号の説明】
【００７２】
１  自動販売機
４  商品選択ボタン
５  価格表示器
１１  コラム
２１  コラム−選択ボタン設定手段
２２  コラム−選択ボタン記憶手段
２３  テスト販売設定手段
２４  商品販売可能判定手段
２５  コラム別満杯数設定手段
２６  コラム別満杯数記憶手段
２７  コラム別残数確認手段
３０ａ，３０ｂ，３０ｃ，３０ｄ  演算制御部
【図１】
2014149575.tif 000003
【図２】
2014149575.tif 000004
【図３】
2014149575.tif 000005
【図４】
2014149575.tif 000006
【図５】
2014149575.tif 000007
【図６】
2014149575.tif 000008
【図７】
2014149575.tif 000009
【図８】
2014149575.tif 000010
【図９】
2014149575.tif 000011
【図１０】
2014149575.tif 000012
【図１１】
2014149575.tif 000013